(57)【要約】【課題】あらかじめ指定した時刻にアラーム通知が行われた場合に、ユーザが単純に無意識にアラームを停止させることを難しくさせ、アラーム時刻に対するユーザの認識を高める。【解決手段】アラーム通知の停止または一時停止手段として、アラーム停止に割り当てられる所定のキーを押下する代わりに、携帯電話装置が備える液晶表示部とキー入力部を用い、液晶表示部に表示される所定の表示コードに対し一意に対応する入力コードを、キー入力部を用いて入力することによってアラーム通知の停止または一時停止を行う。【選択図】図４
2006121395.tif 000002
【特許請求の範囲】
【請求項１】
アラーム通知を行う携帯電話装置において、アラームの通知中に表示コードを表示する表示部と、アラームの通知中にキー入力を行うキー入力部とを有し、前記キー入力部から入力された入力コードと前記表示部に表示した表示コードとを比較して、比較結果が一致した場合にアラーム通知を停止することを特徴とする携帯電話装置。
【請求項２】
アラーム通知を行う携帯電話装置において、表示コードおよび前記表示コードに対応する１以上の入力コードを蓄積する記憶部と、アラームの通知中に前記表示コードを表示する表示部と、アラームの通知中にキー入力を行うキー入力部とを有し、前記キー入力部から入力されたコードと前記記憶部に蓄積された入力コードとを比較して、比較結果が一致した場合にアラーム通知を停止することを特徴とする携帯電話装置。
【請求項３】
請求項１または２に記載の携帯電話装置において、前記表示部に表示される表示コードは、数桁からなる数字、文字、記号、上下左右を示す矢印のいずれかであることを特徴とする携帯電話装置。
【請求項４】
請求項１または２に記載の携帯電話装置において、前記表示部に表示される表示コードは、数桁からなる数字、文字、記号、上下左右を示す矢印の組み合わせであることを特徴とする携帯電話装置。
【請求項５】
請求項１または２に記載の携帯電話装置において、前記表示コードは一定順序に前記表示部に表示されることを特徴とする携帯電話装置。
【請求項６】
請求項１または２に記載の携帯電話装置において、前記表示コードはランダムに前記表示部に表示されることを特徴とする携帯電話装置
【請求項７】
請求項２に記載の携帯電話装置において、前記表示部に表示される表示コードは熟語であり、前記記憶部に蓄積された表示コードに対応する入力コードは、前記熟語の仮名読みであることを特徴とする携帯電話装置。
【請求項８】
請求項２に記載の携帯電話装置において、前記表示部に表示される表示コードは、複数項からなる四則演算である計算式であり、前記記憶部に蓄積された表示コードに対応する入力コードは、前記計算式の解であることを特徴とする携帯電話装置。
【請求項９】
請求項２に記載の携帯電話装置において、前記表示部に表示される表示コードは質問であり、前記記憶部に蓄積された表示コードに対応する入力コードは、前記質問に対する解答であることを特徴とする携帯電話装置。
【発明の詳細な説明】
【技術分野】
【０００１】
本発明は、指定時刻にアラーム音を出力する目覚まし時計などのアラーム機能を有する携帯電話装置に関する。
【背景技術】
【０００２】
いまや携帯電話装置は多くのユーザが所持し、日常的に携行するか手元近くに置いて使用されている。そのような状況において、携帯電話装置では細かな日時設定が行え、単なるアラーム音のみならずダウンロードした着信メロディや、音楽、バイブレータ等の通知方法を選択して指定することが可能であることから、携帯電話装置を所持する多数のユーザが目覚まし時計の代わりとして使用している。
【０００３】
従来のアラーム機能を有する携帯電話装置においては、アラーム停止に割り当てられる任意のキーを一度押下することにより簡単にアラームを停止あるいは一時的に停止させるため、起床時等には、無意識の内にアラームを停止あるいは一時的停止させることが可能であり、ユーザが指定した時刻を正しく認識できずに時間が超過してしまうという問題があった。この問題の解決方法の一つとして、電話装置におけるアラーム停止手順を複雑にするという、例えば暗証番号のような事前登録した数値の組み合わせをダイヤル入力する方法が知られている（例えば、特許文献１参照）。
【０００４】
上記従来の特許文献１に記載されているアラーム停止方法について、図９のフローチャートを用いて説明する。まずステップＳ９０１においてアラームが鳴動する時刻を設定する。次にステップＳ９０２において現在時刻がアラーム設定時刻に一致したかどうかを判定し、一致した場合にはステップＳ９０３においてアラームの鳴動が行われる。現在時刻がアラーム設定時刻に一致するまではステップＳ９０２が繰り返される。アラームの鳴動を停止させるためには、事前に登録した数値列と同じ数値列を入力する必要がある。ステップＳ９０４では事前に登録した数値列とダイヤル入力された数値列との比較が行われ、同じであると判定した場合にはステップＳ９０５においてアラームを停止する。ステップＳ９０４において数値列が異なると判定した場合には、ステップＳ９０３のアラーム鳴動が繰り返される。
【特許文献１】特開２００１−４２０７４号公報（第３ページ、図２）
【発明の開示】
【発明が解決しようとする課題】
【０００５】
しかし、暗証番号のように予め定めた番号、あるいはメモリーに記憶させたアラーム停止用の記号を入力することによりアラーム音を停止させる方法は、入力する番号や記号がいつも同じであり、ユーザが慣れてしまえばすぐに入力できるため、所定のキーを一度押すことと同様に無意識に入力できてしまうという課題があった。また、特許文献１では、事前登録された数値列だけではなく、当日の年月日や現在時刻といった自動的に変化する数値列をアラーム停止のための入力コードとする例も示されているが、入力された時刻とカレンダ／時計部が計時している現在時刻とを比較し、それらが一致した場合にアラーム出力を停止するものであり、表示部に示された年月日や現在時刻などの数字をそのまま単純に入力することで簡単にアラーム出力を停止するものであった。
【課題を解決するための手段】
【０００６】
本発明は、上記課題を解決するためのものであり、アラーム通知の停止または一時停止手段として、アラーム停止に割り当てられる所定のキーを押下する代わりに、携帯電話装置が備える液晶表示部とキー入力部を用い、液晶表示部に表示される所定の表示コードに
対し一意に対応する入力コードを、キー入力部を用いて入力することによってアラーム通知の停止または一時停止を行うようにしている。
【発明の効果】
【０００７】
本発明における携帯電話装置によれば、予め指定した時刻に達してアラーム通知が行われた場合に、ユーザが単純に無意識にアラームを停止させることが難しくなり、アラーム時刻に対するユーザへの認識を高めることが可能となる。
【発明を実施するための最良の形態】
【０００８】
以下、本発明を実施するための最良の形態について、図面を参照しながら説明する。
【０００９】
（実施の形態１）
図１は、本発明の第一の実施の形態にかかる携帯電話装置のブロック図である。図１に示すように、本発明の携帯電話装置には、液晶表示部１０１と、キー入力部１０２と、記憶部１０３と、リアルタイムクロック１０４と、スピーカ１０５と、マイクロホン１０６と、音声処理部１０７と、バイブレータ１０８と、ＬＥＤ表示部１０９と、無線通信部１１０があり、これらのブロックはデータバス１１１を通じて制御部１１２と接続され、相互に機能することにより携帯電話機能を実現する。
【００１０】
すなわち、液晶表示部１０１は携帯電話装置の状態や情報を視覚的に表示する。例えば、着信待ち受け時には、いわゆる圏内／圏外の表示や電池の残量を表示する。無線通信部１１０は、携帯電話通信網の基地局を介して他の携帯電話装置と音声通信あるいはデータ通信を行う。着信があると、制御部１１２の制御のもと、バイブレータ１０８が振動して着信したことを伝える。ＬＥＤ表示部１０９が点灯し、補助的で簡易的な着信通知を行う。キー入力部１０２に通信開始の信号が入力されると、音声処理部１０７が受信した信号を音声信号にしてスピーカ１０５から出力する。マイクロホン１０６から入力された音声は、音声処理部１０７でディジタル信号に変換して、無線通信部１１０から送信する。リアルタイムクロック１０４は、現在時刻の蓄積、更新を行う。
【００１１】
そして、記憶部１０３にはキー入力部１０２から入力される電子電話帳データやアラーム設定時刻などの設定情報、また辞書や単語帳データなどを蓄積している。特に本発明では、記憶部１０３にアラーム設定時刻になったときに液晶表示部１０１に表示する表示コードおよび表示コードに対応したアラーム停止用の入力コードを蓄積している。
【００１２】
図２と図３に記憶部１０３に蓄積された表示コードと対応する入力コードのデータ構造の例を示す。図２は、表示コードとして「四面楚歌」を、入力コードとして「しめんそか」を設定して、記憶部１０３に一対のデータとして蓄積していることを示している。また図３は、表示コードとして「２×３＝」を、入力コードとして「６」を設定して、同様に記憶部１０３に一対のデータとして蓄積していることを示している。本発明にかかる実施の形態１では、アラーム設定時刻に達すると、表示コードの内容を液晶表示部１０１に示し、キー入力部１０２から入力コードが入力されたときにアラームを停止するようにしている。
【００１３】
本発明におけるアラーム通知動作を、図４に示すフローチャートにより説明する。リアルタイムクロック１０４から得られる現在時刻と、予め設定したアラーム時刻を比較し（ステップＳ４０１）、前記比較結果が一致する場合には、ユーザが予め設定したアラーム音、メロディ、バイブレータ及びＬＥＤ点灯パターンに従いアラーム通知を行う（ステップＳ４０２）。前記比較結果が一致するまではステップＳ４０１が繰り返される。次に、本発明によるコマンドを用いるアラーム停止方法（以下、コマンドモードという）か、従来の所定のキーを押下することによるアラーム停止方法のいずれが設定されているかを判
定する（ステップＳ４０３）。コマンドモードを設定している場合には、記憶部１０３より、表示コード及び表示コードに対応する入力コードを取得する（ステップＳ４０４）。前記表示コード及び表示コードに対応する入力コードは、一つの組み合わせのみを蓄積し、一意に取得しても良く、また、複数の組み合わせを蓄積し、その中から一定順序またはランダムに選択しても良い。また、前記表示コード及び表示コードに対応する入力コードは、携帯電話装置の製造元において、予めデータとして蓄積しておいても良い。更に、表示コードに計算式を用いる場合には、記憶部１０３にデータとして蓄積せずに、計算式については擬似乱数によりランダムに導出し、入力コードとなる解については、前記計算式より算出することにより取得してもよい。
【００１４】
次に、前記取得した表示コードを液晶表示部１０１に表示し（ステップＳ４０５）、キー入力部１０２を通じてコード入力があったかを判定する（ステップＳ４０６）。前記判定により、キー入力部１０２からの入力コードを取得した場合には、前記記憶部１０３より取得した表示コードに対応する入力コードと、前記キー入力部１０２から入力された入力コードが一致するか判定する（ステップＳ４０７）。前記判定結果が一致する場合には、アラ−ムを停止し（ステップＳ４０９）、処理終了となる。なお、ステップＳ４０７の判定において、キー入力部１０２から入力された入力コードと記憶部１０３から読み出した入力コードが一致した場合に、ステップＳ４０４からの処理を繰り返し、ステップＳ４０７での一致判定を複数回繰り返すことをアラーム停止すなわちステップＳ４０９の条件としても良い。
【００１５】
ステップＳ４０６においてキー入力がないと判定した場合には、所定のアラーム通知時間を経過しているか判定し（ステップＳ４０８）、前記判定結果が所定のアラーム通知時間を経過している場合には、アラームを停止し（ステップＳ４０９）、アラーム通知時間を経過していない場合には、ステップＳ４０６以降の処理を繰り返し、ステップＳ４０７の判定おいて一致するか、アラーム通知時間の経過まで、アラーム通知を継続する。
【００１６】
また、ステップＳ４０３においてコマンドモードでないと判定した場合には、従来の処理と同様に、アラームを停止する機能が割り当てられた所定のキーが押下されているかを判定し（ステップＳ４１０）、前記判定結果が、アラーム停止キーが押下されたと判定した場合には、アラームを停止し（ステップＳ４０９）、アラーム通知を終了する。前記判定結果が、アラーム停止キーが押下されていないと判定した場合には、所定のアラーム通知時間を経過しているか判定し（ステップＳ４１１）、前記判定結果が所定のアラーム通知時間を経過している場合には、アラームを停止し（ステップＳ４０９）、アラーム通知時間を経過していない場合には、ステップＳ４１０以降の処理を繰り返し、アラーム停止キーの押下またはアラーム通知時間の経過までアラーム通知を継続する。
【００１７】
ステップＳ４０５における表示コードの表示例を図５（ａ）に、入力操作例を図５（ｂ）に示す。表示コードが「四面楚歌」の場合には、図５（ａ）に示すように、液晶表示部１０１に対し、任意の位置に表示コード「四面楚歌」１２０を表示する。前記表示コードに対し、ユーザは、図５（ｂ）に示すようにキー入力部１０２の「さ」に割り当てられるキーを２回、「ま」に割り当てられるキーを４回、「わ」に割り当てられるキーを３回、「さ」に割り当てられるキーを５回、「か」に割り当てられるキーを１回、順番に押下することによって「しめんそか」と入力する。更に入力決定キー１２５を押下することによって、入力コードを確定する。なお入力方法は、携帯電話装置の文字入力方法に従って入力すればよく、平仮名を複数からなる数値の組み合わせ（「あ」＝０１等）により選択しても良い。ステップＳ４０７における判定処理では、蓄積する入力コード「しめんそか」と、ユーザが入力したコード「しめんそか」が同一コードであることを判定する。図６（ａ）および図６（ｂ）に示すように、表示コードとして、「２×３＝」を表示し、ユーザは「６」を入力するように、数値を入力コードとしても良い。またアルファベット、数値、平仮名、漢字を
混在するコードを用いても良い。
【００１８】
なお、表示コードとして特定のジャンル名、例えば「動物」と、それに対応する入力コード、例えば「ゾウ」、「サイ」、「トラ」などを記憶部１０３に蓄積しておき、ステップＳ４０４において前記記憶部１０３より蓄積された表示コードと入力コードを取得し、ステップＳ４０５においてアラーム停止に用いる特定ジャンル名の液晶表示を行ない、ステップＳ４０７における判定処理において、前記取得した入力コードと、ユーザが入力した入力コードとの一致判定を行ない、前記判定結果が一致する場合にアラーム停止を行ってもよい。一つのジャンルについて複数の答えを入力することで、操作を複雑にすることができる。またジャンルを表示しないようにすれば、更に操作を複雑にすることができる。
【００１９】
以上説明したように、本発明によれば、所定時刻になると表示部に表示コードが示され、表示コードに対応した入力コードを入力するまでアラームが鳴動するので、単純に無意識にアラームを停止することがないという効果が得られる。
【００２０】
また、表示コードを質問、入力コードをその答えとして捉えれば、所定の時間になると質問が出され、それに答えるという使い方ができる。四文字熟語だけでなく、携帯電話装置の記憶部１０３に記憶されている辞書や単語帳データを利用して学習効果を得ることもできる。
【００２１】
なお、本実施の形態は携帯電話装置のアラーム停止方法を示したものであるが、他の電子機器の表示部およびキー入力部を有したアラーム通知装置に本発明を適用してもよい。
【００２２】
（実施の形態２）
次に本発明の第二の実施の形態にかかる携帯電話装置について説明する。本発明の第二の実施の形態にかかる携帯電話装置では、入力コードを蓄積せず、液晶表示部１０１に表示した表示コードに対応した入力コードが入力されたときにアラームを停止するよう構成している。
【００２３】
図７は、本発明におけるアラーム通知処理のフローチャートである。リアルタイムクロック１０４から得られる現在時刻と、予め設定したアラーム時刻を比較し（ステップＳ７０１）、前記比較結果が一致する場合には、予め設定したアラーム音、メロディ、バイブレータ及びＬＥＤ点灯パターンに従いアラーム通知を行う（ステップＳ７０２）。前記比較結果が一致するまでステップＳ７０１が繰り返される。次に、本発明によるコマンドモードを用いるアラーム停止方法を使用するか、従来のアラーム停止機能を割り当てられるキーを押下することによるアラーム停止方法を使用するかを判定し（ステップＳ７０３）、コマンドモードを設定している場合には、表示コードを生成し（ステップＳ７０４）、前記表示コードを液晶表示部１０１に表示（ステップＳ７０５）する。生成する表示コードは、予めキー入力部１０２から入力し記憶部１０３に蓄積しているものを取得しても、ランダムに必要時に生成しても良い。
【００２４】
次に、キー入力部１０２を通じて入力コードが入力されたかを判定する（ステップＳ７０６）。前記判定により入力コードを取得した場合には、表示コードと前記入力された入力コードが一致するか判定する（ステップＳ７０７）。前記判定結果が一致する場合には、アラ−ムを停止し（ステップＳ７０９）処理終了となる。なお、ステップＳ７０７の判定において表示コードと入力コードが一致した場合に、ステップＳ７０４からの処理を繰り返し、ステップＳ７０７での一致判定を複数回繰り返すことを、アラーム停止（ステップＳ７０９）の条件としても良い。
【００２５】
次に、ステップＳ７０６においてキー入力がないと判定した場合には、所定のアラーム通知時間を経過しているか判定し（ステップＳ７０８）、前記判定結果が所定のアラーム通知時間を経過している場合には、アラームを停止し（ステップＳ７０９）、アラーム通知時間を経過していない場合には、ステップＳ７０６以降の処理を繰り返し、ステップＳ７０７の判定おいて一致するか、アラーム通知時間の経過まで、アラーム通知を継続する。
【００２６】
また、ステップＳ７０３においてコマンドモードでないと判定した場合には、従来の処理と同様に、アラームを停止する機能が割り当てられた所定のキーが押下されているかを判定し（ステップＳ７１０）、前記判定結果が、アラーム停止キーが押下されたと判定した場合には、アラームを停止し（ステップＳ７０９）、アラーム通知を終了する。前記判定結果が、アラーム停止キーが押下されていないと判定した場合には、所定のアラーム通知時間を経過しているか判定し（ステップＳ７１１）、前記判定結果が所定のアラーム通知時間を経過している場合には、アラームを停止し（ステップＳ７０９）、アラーム通知時間を経過していない場合には、ステップＳ７１０以降の処理を繰り返し、アラーム停止キーの押下またはアラーム通知時間の経過まで、アラーム通知を継続する。
【００２７】
ステップＳ７０５における表示コードの表示例を図８（ａ）に、入力操作の例を図８（ｂ）に示す。表示コードが「↑↓←→」の場合には、図８（ａ）に示すように、液晶表示部１０１に対し、任意の位置に表示コード「↑↓←→」を表示する。前記表示コードに対し、キー入力部１０２を介して、カーソルの上移動に割り当てられるキー（以降「↑キー」という）、下移動に割り当てられるキー（以降「↓キー」という）、左移動に割り当てられるキー（以降「←キー」という）、右移動に割り当てられるキー（以降「→キー」という）を順番に押下することによって「↑↓←→」を意味するキーコードを入力する。
【００２８】
図７のフローチャートのステップ７０７における判定処理では、入力されたコードが表示コード「↑↓←→」に対応した一連のキー入力であることを判定する。表示コードとの比較方法としては、入力コードと一文字づつ比較しても、連続した入力コードと比較してもよい。つまり、一文字づつ比較する場合には、表示コード「↑↓←→」に対し、「↑キー」が入力されることにより、表示コードの最左部のコードが一致していることを認識し、比較対照表示コードを「↓←→」と更新する。同様に、次に「↓キー」が入力されることにより、比較対照表示コードを「←→」と更新していくことにより、表示コードと入力コードの比較を行っていく。一文字比較の場合には、表示コードの一文字毎に入力コードとの比較を行うため、入力コードの途中に表示コードと異なるキー入力が行われたとしても、最終的に、入力コード内に、表示コードが順序のみを維持して含まれていれば良い。つまり、表示コード「↑↓←→」に対し、「↑キー」、「↑キー」、「↓キー」、「→キー」、「←キー」、「→キー」と入力されたとしても、入力されたコード内に、表示コードである「↑」「↓」「←」「→」が、その順序を維持したままいずれかに含まれていればよく、ユーザの入力ミスを許容する形式となる。なお、液晶表示部１０１における表示コードの表示例としては、比較の結果一致した表示コードの１文字を削除する、または、一致した表示コードの文字色を変えることによって、比較結果一致と判定された部分をユーザに通知する方法をとっても良い。
【００２９】
また、連続した入力コードと比較を行う場合には、表示コード「↑↓←→」に対して、「↑キー」、「↓キー」、「←キー」、「→キー」を連続して入力することによって、表示コードと入力コードとの比較を行う。つまり、表示コードに対応する入力コードにおいて、入力途中に誤ったコードが入力されている場合には、比較結果が不一致となる。なお、入力コードの確定方法としては、表示コードの文字数が入力された時点としても、コード入力後に、入力決定に機能するキー１２５を押下することによって入力コードを確定しても良い。なお、表示コード「↑↓←→」に対して、「↑キー」、「↓キー」、「←キー
」、「→キー」のそれぞれのキーが順序を問わず入力されれば、アラームが停止できるようにしてもよい。
【００３０】
なお、本実施の形態は携帯電話装置のアラーム停止方法を示したものであるが、実施の形態１と同様、他の電子機器の表示部およびキー入力部を有したアラーム通知装置に本発明を適用してもよい。
【産業上の利用可能性】
【００３１】
本発明による携帯電話装置のアラーム停止方法は、ユーザがアラーム通知を停止または一時停止するためには、液晶表示部に表示される表示コードを視覚的に確認して、前記表示コードに対する入力コードをキー入力部から入力する必要があるため、アラーム時刻のユーザへの認識を高める効果があり、目覚まし時計としての機能を有する携帯電話をはじめ、その他のアラーム機能を有する電子機器に有用である。
【図面の簡単な説明】
【００３２】
【図１】本発明の第一の実施の形態における携帯電話装置のブロック図
【図２】本発明の第一の実施の形態における携帯電話装置の表示コードと入力コードのデータ構造を示す図
【図３】本発明の第一の実施の形態における携帯電話装置の表示コードと入力コードのデータ構造を示す図
【図４】本発明の第一の実施の形態における携帯電話装置のアラーム通知方法のフローチャート
【図５】（ａ）本発明の第一の実施の形態における携帯電話装置の外観図（ｂ）本発明の第一の実施の形態における携帯電話装置のキー入力の概念図
【図６】（ａ）本発明の第一の実施の形態における携帯電話装置の外観図（ｂ）本発明の第一の実施の形態における携帯電話装置のキー入力の概念図
【図７】本発明の第二の実施の形態における携帯電話装置のアラーム通知方法のフローチャート
【図８】（ａ）本発明の第二の実施の形態における携帯電話装置の外観図（ｂ）本発明の第二の実施の形態における携帯電話装置のキー入力の概念図
【図９】従来の携帯電話装置のアラーム通知方法のフローチャート
【符号の説明】
【００３３】
１０１  液晶表示部
１０２  キー入力部
１０３  記憶部
１０４  リアルタイムクロック
１０５  スピーカ
１０６  マイクロホン
１０７  音声処理部
１０８  バイブレータ
１０９  ＬＥＤ表示部
１１０  無線通信部
１１１  データバス
１１２  制御部
【図１】
2006121395.tif 000003
【図２】
2006121395.tif 000004
【図３】
2006121395.tif 000005
【図４】
2006121395.tif 000006
【図５】
2006121395.tif 000007
【図６】
2006121395.tif 000008
【図７】
2006121395.tif 000009
【図８】
2006121395.tif 000010
【図９】
2006121395.tif 000011